(57)【要約】【課題】把持部に対して根掴み部を短くすることによって梃子の原理を利用して小さな力で根の張りが大きく抵抗力の強い雑草を抜くことができ、しかも、雑草や土壌を直接触る必要がないので手が汚れずに、さらに、片手で除草できる根引き鋏を提供する。【解決手段】枢軸を支点にして枢着された２つの相対する根掴み部と、それぞれの根掴み部を支点方向に延長した把持部と、を具備した金属製の根引き鋏において、第一把持部は手の指側で把持する持ち手であり、第二把持部は掌で把持する持ち手であって、前記２つの相対する根掴み部の中心線と、２つの把持部の中心線と、が１１０度〜１３０度で第一把持部側に屈曲しており、かつ、前記把持部の長さに対して、前記鋸状の根掴み部の長さが、１／２〜１／３と短くなっていることを特徴とする。【選択図】図１ａ
0003165172.tif 000002
【実用新案登録請求の範囲】
【請求項１】
枢軸を支点にして枢着された２つの相対する根掴み部と、それぞれの根掴み部を支点方向に延長した把持部と、を具備した金属製の根引き鋏において、第一把持部は手の指側で把持する持ち手であり、第二把持部は掌で把持する持ち手であって、前記２つの相対する根掴み部の中心線と、２つの把持部の中心線と、が１１０度〜１３０度で第一把持部側に屈曲しており、かつ、前記把持部の長さに対して、前記鋸状の根掴み部の長さが、１／２〜１／３と短くなっていることを特徴とする根引き鋏。
【請求項２】
前記根掴み部が、その身が薄板であり、また、その掴み部に刃付けのない、三角形状の目が連続して設けられ、かつ、相対する掴み部の目同士が合うように対称的に配置されていることを特徴とする請求項１に記載の根引き鋏。
【請求項３】
前記目が、連続し、支点側に傾斜した鉤鎌形状であることを特徴とする請求項２に記載の根引き鋏。
【請求項４】
前記第一把持部と第二把持部との間に、根掴み部及び把持部が開くように弾性体を設けたことを特徴とする請求項１又は２又は３に記載の根引き鋏。
【請求項５】
前記第二把持部の支点に近い所に凸山部を備えていることを特徴とする請求項１から４のいずれかに記載の根引き鋏。
【考案の詳細な説明】
【技術分野】
【０００１】
本考案は、庭、家庭菜園、駐車場、運動場、公園、道路脇などに生えてくる雑草を引き抜く除草具であって、雑草や土壌に手を触れることなく汚れずに、また、労力を掛けずに片手で、かつ小さな力で簡単に除草することができる根引き鋏に関するものである。
【背景技術】
【０００２】
従来から、人々は、庭、家庭菜園、駐車場、運動場、公園、道路脇などに生える雑草を様々な機械や道具を用い、草刈りや除草を行ってきた。この場合、草刈りする作業面積が広い場合には機械を用いて、狭い場合には手作業具を用いて行うのが常である。しかし、草刈りの場合、雑草の根が残るので、残った根から新たな芽が出て、すぐに元の状態に戻っていたので、除草剤（薬品）を用いることが考えられるが、その除草剤が土壌に残留して環境汚染が生じるおそれがあった。
【０００３】
そこで、雑草を根から引き抜く草抜きが無害で有効であり、これまで、草抜きに用いられる器具が種々発明され、また、使用されて来ている。例えば、手を汚さずに片手で草抜きできる有効な手段が先行技術として開示されている（文献１）
【先行技術文献】
【特許文献】
【０００４】
【特許文献１】特開２００２−２３３２０２号公報（〔請求項１〕、〔０００４〜０００７〕、〔図１〜６〕）
【考案の概要】
【考案が解決しようとする課題】
【０００５】
前記先行技術は、手を汚さずに片手で草抜きできる点で優れた技術であるが、挟み溝部が支点に対し約９０度に捻っており、また、持ち手の柄に対して、挟み溝部のあるアームが長いために、まっすぐ上方に引き抜いて除草しなければならないので、根の張りが大きく抵抗力の強い草を抜く場合には非常に大きな力を要する。また、アームが長く、さらに９０度に捻ってあるので部材の剛性が必要となり、重量が重たくなるおそれがあった。
【０００６】
そこで、上記の問題を解決するために、把持部に対して根掴み部を短くすることによって梃子の原理を利用して小さな力で根の張りが大きく抵抗力の強い雑草を抜くことができ、しかも、雑草や土壌を直接触る必要がないので手が汚れずに、さらに、片手で除草できる根引き鋏を考案して提供するものである。
【課題を解決するための手段】
【０００７】
本考案の請求項１に係る根引き鋏は、枢軸を支点にして枢着された２つの相対する根掴み部と、それぞれの根掴み部を支点方向に延長した把持部と、を具備した金属製の根引き鋏において、第一把持部は手の指側で把持する持ち手であり、第二把持部は掌で把持する持ち手であって、前記２つの相対する根掴み部の中心線と、２つの把持部の中心線と、が１１０度〜１３０度で第一把持部側に屈曲しており、かつ、前記把持部の長さに対して、前記鋸状の根掴み部の長さが、１／２〜１／３と短くなっていることを特徴とする。
【０００８】
請求項２に係る根引き鋏は、請求項１に記載の根引き鋏の前記根掴み部が、その身が薄板であり、また、その掴み部に刃付けのない、三角形状の目が連続して設けられ、かつ、相対する掴み部の目同士が合うように対称的に配置されていることを特徴とする。
【０００９】
請求項３に係る根引き鋏は、請求項２に記載の根引き鋏の前記目が、連続し、支点側に傾斜した鉤鎌形状であることを特徴とする。
【００１０】
これらの構成により、把持部の長さに対して根掴み部の長さが１／２〜１／３と短く梃子の原理を利用して、手首を捻ることができるので、小さな力でもって根の張りが大きく抵抗力の強い草でも容易に抜くことができる。しかも、２つの掴み部の中心線と、２つの把持部の中心線とのなす角度が、１１０度〜１３０度で第一把持部方向に屈曲しているので、手首を捻っても、手が地面に触れることがない。したがって、本考案の根引き鋏を使用すれば、作業者は片手で疲労感なく、しかも、手を汚さずに作業することができる。また、根掴み部の身は、厚みが１〜２ｍｍと薄くて丈夫な金属製であるので、強い力をかけなくとも、抵抗が少なく容易に土壌に差し込むことができ、しかも、引き抜き時に、根引き鋏を草と土壌ごと捻っても、根掴み部が折損することはない。
【００１１】
また、上述のように、把持部に対して根掴み部を短くしているので、梃子の原理が応用でき、根を掴む力が強くなり、しかも、根掴み部にある実際に根を掴む部位である掴み部は、掴み部の目が鋸刃形状や鉤鎌形状となっているので、しっかり根を掴むことができて、確実に根ごと除草することができる。そのうえ、相対する２つの鋸刃形状の掴み部は、目の頭の内側の縁が丸くなっていて、刃をつけていないので、掴んだ雑草の根が切れることなく引き抜くことができる。また、把持部は、鋏用の持ち手の如くしっかり握ることができ、指と掌の挙動作業で土壌中にしっかりと差し込めし、捻ってこじ起こすことも容易である。
【００１２】
請求項４に係る根引き鋏は、請求項１又は２又は３に記載の根引き鋏が、前記第一把持部と第二把持部との間に、根掴み部及び把持部が開くように弾性体を設けたことを特徴とする。
【００１３】
この構成をとることにより、本考案に係る根引き鋏を土壌中に差し込む場合には、根引き鋏の第二把持部を持って押し込むだけでよく、わざわざ根引き鋏を持っていない別の手で、雑草の根を挟むために把持部を開かせながら土壌に差し込む必要がない。また、雑草を引き抜いた後も、指先を第一把持部から放せば、弾性体によって、把持部同士が開き、それによって支点を介して根掴み部が開き雑草が落ちる。したがって、雑草を引き抜いた後も、手を汚さずに、草を根引き鋏からはずすことができる。弾性体には、ばねやゴムなどを用いることができる。
【００１４】
請求項５に係る根引き鋏は、請求項１から４のいずれかに記載の根引き鋏が、前記第二把持部の支点に近い所に山部を備えていることを特徴とする。
【００１５】
この構成をとることにより、根引き鋏を土壌に差し込む際に、作業者の手が第二把持部の山部に引っかかるので、手が滑って力をロスすることなく、力が確実に根引き鋏に伝えることができ、小さな力でも容易に土壌に差し込むことができる。
【考案の効果】
【００１６】
本考案に係る請求項１から５に記載の根引き鋏によれば、本根引き鋏は、梃子の原理を利用しているので、小さな力で根の張りが大きく抵抗力の強い草を片手で容易に、引き抜くことができる。また、容易に土壌に差し込むことができ、しかも、丈夫な金属で作られているので、根引き鋏が折損することはない。したがって、しっかり草の根を掴むことができるので、確実に根ごと除草することができる。
【００１７】
そのうえ、本根引き鋏の把持部は、大変握りやすく、しかも、手首を捻っても手が地面に触れることがないので、手を汚さずに作業することができる。また、雑草を引き抜いた後も、手を掛けることなく、草を根引き鋏からはずすことが容易である。また、本根引き鋏は、形状がまとまりがよく、コンパクトな構造で頑丈で力強い。
【図面の簡単な説明】
【００１８】
【図１ａ】図１ａは、本考案の実施するための形態に係る根引き鋏の模式的平面図である。
【図１ｂ】図１ｂは、本考案の実施するための形態に係る根引き鋏の主な構成部品の模式的平面図である。
【図２】図２（ａ）は、本考案の実施するための形態に係る根引き鋏の模式的右側面図であり、（ｂ）は、Ａ―Ａ矢視拡大断面図である。
【図３】図３は、本考案の実施するための形態に係る根引き鋏の模式的正面図である。
【図４】図４は、本考案の実施するための形態に係る根引き鋏の使用状態を示す模式的斜視図である。
【考案を実施するための形態】
【００１９】
本考案に係る本考案の実施するための形態に係る根引き鋏を実施するための形態について図１ａ、図１ｂ、図２（ａ）、（ｂ）、図３、図４を用いて説明する。図１ａは、本考案の実施するための形態に係る根引き鋏の模式的平面図であり、図１ｂは、本考案の実施するための形態に係る根引き鋏の主な構成部品の模式的平面図である。図２（ａ）は、本考案の実施するための形態に係る根引き鋏の模式的右側面図であり、図２（ｂ）は、Ａ―Ａ矢視拡大断面図である。図３は、本考案の実施するための形態に係る根引き鋏の模式的正面図である。図４は、本考案の実施するための形態に係る根引き鋏の使用状態を示す模式的斜視図である。
【００２０】
図１ａは、本考案の実施するための形態に係る根引き鋏の模式的平面図であり、図１ｂは、根引き鋏の主な構成部品の模式的平面図であり、図２（ａ）は、根引き鋏の模式的右側面図であり、図２（ｂ）は、Ａ―Ａ矢視拡大断面図であり、図３は、根引き鋏の模式的正面図である。図１ａ、図１ｂ、図２（ａ）、（ｂ）、図３を用いて、本考案に係る根引き鋏１を説明する。根引き鋏１は、鋏形状をしており、支点６と、根掴み部２、３と、その根掴み部２、３から支点６を介して夫々一体となっている把持部４、５と、その把持部４、５が開いた状態となるように設けられた弾性体であるばね８と、前記把持部４、５を閉じた状態にして維持できる留め具９とから構成されている。根掴み部２，３には、実際に根を掴む部位である掴み部１０が設けられている。また、根引き鋏１は、全体が金属、例えば、鉄、鋼又はアルミニウム合金を加工してでできているので、土壌３０雑草の根２１による負荷がかかっても、折れ曲がることなく頑丈で力強い。
【００２１】
第一根掴み部２は、支点６を介して第一把持部４に固設しており、支点６を付近で約９０度の角度βで第二根掴み部３側に屈曲している。そして、第一把持部４は、支点６側の位置で第二把持部５側におよそ１４０度〜１６０度の角度γで屈曲している。同様にして、第二根掴み部３は、支点６を介して第二把持部５に固設しており、支点６付近で約１４０度の角度δで第一把持部４側に屈曲している。そして、第二把持部５は、支点６側の位置で第一把持部４側におよそ１５０度〜１７０度の角度εで屈曲している。また、第二把持部５には、支点６側の外側（第一把持部４と反対側）に、外側の面から５〜２０ｍｍ高さの山部７が設けてある。そして、全体として根引き鋏１は、根掴み部２、３の中心線と、把持部４、５の中心線とのなす角度αが、１１０度〜１３０度で第一把持部４側に屈曲している。なお、根掴み部２の支点６付近には、把持部４、５がばね８の弾性力によって開きすぎること防ぐストッパー１５が設けれれている。
【００２２】
また、把持部４、５の長さに対して、根掴み部２、３の長さが、１／２〜１／３と短くなっている。さらに、根掴み部２、３は、先端がとがっている鋸形状で、身１１の厚みが約１〜２ｍｍと薄い。根掴み部２、３の上下端に位置する掴み部１０は、鋸刃のように目１４が鉤鎌形状を呈しており、そのうえ、掴み部１０を閉じた場合に、互いの目１４の山同士、谷同士が合うようになっている。掴み部１０の目１４の頭１２には、刃が付されてなく、しかも目１４同士が重なり合う縁１３は丸くなっており、掴んだ雑草の根２１を挟んでも切れることはない。
【００２３】
次に、本考案に係る根引き鋏１の製造方法の一例を説明する。鉄または鋼でできた根掴み部２、３をそれぞれ、所定の方向に１４０度〜１６０度の角度と、掴み部１０の目１４の鋸刃形状とを、鍛造又はグラインダーによる切削によって成形する。このとき支点６となる位置に穴をドリルで開けておく。一方、鉄または鋼できた把持部４、５は、金属加工機等によって、折り曲げあるいは叩き出して、断面がＵ字型になるように成形する。さらに、第二把持部５の端部に留め具９をピン等により回動できるようにして設ける。最後に把持部４、５にばね８を配設し、支点６を介してボルトとナットで締め付けて、根引き鋏１は製造される。
【００２４】
次に、根引き鋏１の使用方法の一例について図４を用いて説明する。まず、土壌３０から出ている雑草２０の茎が、地面から出ている場所に斜め上方から、根引き鋏１を、第一把持部４を手の四本の指側で、第二把持部５を掌側（親指の付け根側）で軽く握り、第二把持部５の山部７に力を掛けるようにして、根掴み部２、３を土壌３０に差し込む。なお、親指の付け根を山部７に引っかけるので、手４０が滑って力をロスすることない。根掴み部２、３を土壌３０に差し込む場合、根掴み部２、３の先端がとがっていて、しかも、厚みが１〜２ｍｍと薄いので、小さな力で、根引き鋏１を土壌３０中に押し込める。次に、根引き鋏１の掴み部１０の間に、雑草の根２１（地下茎を含む）をはさみ、その後、把持部４、５を強く握って、雑草の根２１を掴み部１０の目１４の谷部にがっちりと挟み込むことができる。したがって、雑草の根２１が滑って掴み部１０からはずれることがない。また、雑草の根２１を掴んだ場合に、第一根掴み部２の掴み部１０と、第二根掴み部３の掴み部１０とが重なる目１４の縁１３が丸く、かつ刃付けしていないので、掴んだ雑草の根２１が切れて、雑草の根２１だけ土壌３０中に残すことがない。
【００２５】
雑草の根２１を掴んだ後は、握った手を緩めずに手首４０を捻って、雑草２０を引き抜く。本考案に係る根引き鋏１は、把持部４、５の長さに対して、根掴み部２、３の長さが約１／２〜１／３と短く、かつ、把持部４、５の中心線に対して掴み部２、３の中心線とのなす角度αが、第一把持部４方向に１１０度〜１３０度曲がっているので手首４０を捻りやすく、しかも、梃子の原理を利用して、土壌３０中に雑草の根２１が張っていても片手で、小さな力で引き抜くことができる。よって、作業者は、疲労感がなく、しかも雑草２０、根２１及び土壌３０に触れないので手４０を汚すことがない。なお、根掴み部２、３は、鋼製であるので土壌３０中で捻っても折損することはない。
【００２６】
雑草２０を引き抜いた後は、雑草２０を捨てる所定の場所（ごみ袋等）で、握る力を弱めれば、ばね８の力で、把持部４、５が開き、支点６を介して根掴み部２、３の掴み部１０が開く。そのことによって雑草２０が根引き鋏１から落ちる。したがって、作業者は、片手で、しかも手４０を汚すことなく雑草２０をごみ袋等に簡単に捨てることができる。なお、第一把持部４を指から放しても、ストッパー１５によって把持部４、５が開きすぎることがないので、作業者は、握っていた手のみを使い容易に第一把持部４を握りなおすことができる。
【００２７】
根引き鋏１は、使用時以外は、留め金９を第一把持部４に引っかけて固定することによって、根掴み部２、３の鋸状の掴み部１０を閉じた状態で維持することができる。このことにより、移動時や保管時に鋸状の掴み部１０で引っ掻くことはなく根引き鋏１を安全に取り扱うことができる。
【００２８】
また、根引き鋏１は、庭に落ちている小枝等を拾うことにも使用できる。掴み部１０が小枝を片手で確実に拾い、また片手で捨てることができるので、作業の応用範囲が広い。
【産業上の利用可能性】
【００２９】
除草の分野で利用でき、また、除草以外でも、小枝拾いの分野でも利用できる。
【符号の説明】
【００３０】
１：根引き鋏
２：第一根掴み部            ３：第二根掴み部
４：第一把持部              ５：第二把持部
６：支点
７：山部
８：ばね
９：留め具
１０：掴み部              １１：身              １２：頭
１３：縁                  １４：目              １５：ストッパー
２０：雑草                ２１：雑草の根
３０：土壌
４０：手
α：２つの根掴み部の中心線と２つの把持部の中心線のなす角度
β：第一根掴み部の屈曲角度
γ：第一把持部の屈曲角度
δ：第二根掴み部の屈曲角度
ε：第二把持部の屈曲角度
【図１ａ】
0003165172.tif 000003
【図１ｂ】
0003165172.tif 000004
【図２】
0003165172.tif 000005
【図３】
0003165172.tif 000006
【図４】
0003165172.tif 000007